(57)【要約】【課題】交換レンズに取り付けていない状態において保管性の高い交換レンズ用リアキャップを提供する。【解決手段】交換レンズに取り付ける際に交換レンズのマウント部に外嵌する内周面４を有するレンズ用リアキャップにおいて、その内周面４には、交換レンズとバヨネット結合するためのバヨネット突起５を形成し、バヨネット突起５よりキャップ口元側の内周面４には雌ねじ部６を設けることにより、フロントキャップ１０やコンバータレンズ等のアクセサリとリアキャップとを結合できるようにする。【選択図】図４
2013083720.tif 000002
【特許請求の範囲】
【請求項１】
交換レンズに取付ける際に前記交換レンズのマウント部に外嵌する内周面を有し、
前記内周面には、交換レンズとバヨネット結合するためのバヨネット突起が形成されており、
前記バヨネット突起よりもキャップ口元側の前記内周面に雄ねじと噛み合う突起部を有していることを特徴とする交換レンズ用リアキャップ。
【請求項２】
前記突起部が前記内周面の対向する位置に配置されていることを特徴とする請求項１に記載の交換レンズ用リアキャップ。
【請求項３】
前記突起部が前記内周面の全周に渡って形成されていることを特徴とする請求項１に記載の交換レンズ用リアキャップ。
【請求項４】
前記突起部は略円周方向に延在していることを特徴とする請求項１から３のいずれかに記載の交換レンズ用リアキャップ。
【請求項５】
前記突起部が雌ねじ部を構成していることを特徴とする請求項４に記載の交換レンズ用リアキャップ。
【発明の詳細な説明】
【技術分野】
【０００１】
本発明は、一眼レフカメラなどの撮影機器用交換レンズに用いるリアキャップに関する。
【背景技術】
【０００２】
従来、一眼レフカメラなどの撮影機器用交換レンズの非撮影時にレンズを保護するためのものとして、交換レンズの物体側に取り付けるフロントキャップと像面側に取り付けるリアキャップの２種類のレンズキャップがある。そのうちリアキャップにおいては、内周面にバヨネット突起が設けられ、交換レンズのマウント部のバヨネット爪と嵌合することでレンズに固定されるものが知られている（例えば、特許文献１参照）。
【先行技術文献】
【特許文献】
【０００３】
【特許文献１】実開平４-１３７３３４号公報
【発明の概要】
【発明が解決しようとする課題】
【０００４】
しかしながら、従来のレンズキャップにおいては、交換レンズからリアキャップ、フロントキャップを取り外すと、それらがバラバラになり保管性が悪い問題がある。そこで、本発明は、上記問題に鑑み、交換レンズに取り付けていない状態において保管性の高い交換レンズ用リアキャップを提供することを目的とする。
【課題を解決するための手段】
【０００５】
上記の課題を解決するために本発明では、交換レンズに取り付ける際に前記交換レンズのマウント部に外嵌する内周面を有し、前記内周面には、交換レンズとバヨネット結合するためにバヨネット突起が形成されており、前記バヨネット突起よりもキャップ口元側の前記内周面に雄ねじと噛み合う突起部を有していることを特徴とする交換レンズ用リアキャップを提供する。
【発明の効果】
【０００６】
本発明によれば、交換レンズに取り付けていない状態において保管性の高い交換レンズ用リアキャップを提供することができる。
【図面の簡単な説明】
【０００７】
【図１】第１実施形態に係るリアキャップの概略的な構成を示す斜視図である。
【図２】第１実施形態に係るリアキャップのバヨネット突起周辺の断面図である。（ａ）バヨネット突起よりもキャップ口元側の内周面に雌ねじ部を設けた状態を示している。（ｂ）バヨネット突起よりもキャップ口元側の内周面に線状突起部を設けた状態を示している。
【図３】第１実施形態に係るリアキャップとフロントキャップの組み合わさりを示す断面図である。
【図４】フロントキャップの雄ねじ部の径が第１実施形態に係るリアキャップねじ部の径よりも大きい場合の組み合わさりを示す断面図である。上半分はつまみ部に力を加えていない状態を示しており、下半分はつまみ部を径方向内方へ押し込んだ状態を示している。
【図５】第１実施形態に係るリアキャップとコンバータレンズとの組み合わさりを示す断面図である。
【図６】（ａ）リアキャップを交換レンズのフロント側から見た平面図である。（ｂ）フロントキャップを交換レンズのリア側から見た平面図である。
【図７】第２実施形態に係るリアキャップの断面図である。
【発明を実施するための形態】
【０００８】
（第１実施形態）
以下、本発明の第１実施形態について図１乃至図５を参照しつつ説明する。
【０００９】
図１は、本第１実施形態のリアキャップ１の概略的な構成を示す斜視図である。リアキャップ１は、円環部２とその片面を覆う平板部３とから構成されている。円環部２と平板部３は合成樹脂により一体的に形成されている。
【００１０】
円環部２の内周面４には、バヨネット突起５が円周方向に等間隔で３ヶ所設けられている。リアキャップ１を交換レンズ（不図示）に取り付ける際には、リアキャップ１のバヨネット突起３が設けられていない位置を交換レンズのマウント部に設けられたバヨネット爪（不図示）に合わせて、リアキャップ１をその円環部２が交換レンズのマウント部に当接するまで嵌め込み、リアキャップ１と交換レンズとを相対回転させる。バヨネット突起３が設けられていない位置にバヨネット爪を合わせるには、目印用突起１２を交換レンズのマウント指標に合わせても良い。
【００１１】
バヨネット突起５は、リアキャップ１を交換レンズに取り付けた状態における交換レンズの光軸方向（以下単に「光軸方向」という。）に延びる当接部５ａと、該当接部５ａのキャップ口元側の端部から当接部５ａと直角方向で円環部の円周方向に延びる係止部５ｂとからなる。係止部５ｂは、その平板部３側の面が円周方向で当接部５ａ側から当接部の無い側へ向かうに連れて平板部３から離れるように円周方向からわずかに傾斜しており、交換レンズのバヨネット爪が円周方向にスライドしてバヨネット突起５と係合するように構成されている。
【００１２】
これにより、リアキャップ１と交換レンズとが相対回転すると、バヨネット爪の光軸方向で交換レンズのフロント側（以下単に「フロント側」とする。）の面と係止部５ｂの平板部３側の面とが次第に摺接し、相対回転が停止したところで取り付け完了となる。この状態では、係止部５ｂがバヨネット爪のフロント側に位置するため、リアキャップ１が交換レンズから光軸方向に外れることは無い。また、リアキャップ１はバヨネット爪と係止部５ｂとの摩擦によって拘束されるため、一定以上の回転力を加えなければリアキャップ１と交換レンズとは相対回転せず、使用者が意図しないリアキャップ１の脱落は生じ難い構成となっている。
【００１３】
なお、本第１実施形態においては、バヨネット突起５を３ヶ所設けているが、これに限られず、交換レンズのマウントに合わせてバヨネット突起の数を変えることは可能である。例えば、バヨネット突起５を２又は４ヶ所設けることができる。
【００１４】
バヨネット突起５よりもキャップ口元側の内周面４は、全周に渡る雌ねじ部６を備えている。図２（ａ）はバヨネット突起５付近を光軸方向に切断した断面図を示している。図２（ａ）に示すように、雌ねじ部６は、バヨネット突起５の係止部５ｂのキャップ口元側の面から円環部２の端部まで形成されていることが好ましい。これにより、フロントキャップやコンバータレンズなどのアクセサリとリアキャップとの強固な結合を可能とし、レンズキャップ等を交換レンズに取り付けていない状態における保管性を高めている。また、このように結合して保管することで、フロントキャップ、リアキャップ、及び、コンバータレンズなどのアクセサリのレンズ側の面を汚れや傷から保護することもできる。
【００１５】
雌ねじ部６の光軸方向の幅は上記の幅より狭くても良く、図２（ｂ）に示すように、雌ねじ部４の山部を構成する要素を一巻き分だけ抜き出したような略円周方向に延びる線状突起部７を設けることも可能である。また、雌ねじや線状突起部は、円周方向において断続的に形成されていても良い。さらには、レンズキャップ等の雄ねじ部と噛み合うドット状の突起部であっても良い。
【００１６】
図３は、本第１実施形態のリアキャップ１とフロントキャップ１０との組み合わさりを示す断面図である。フロントキャップ１０は、交換レンズ先端の雌ねじ部に係合するための雄ねじ部８を備えたつまみ部９を、フロントキャップ１０の径方向（図３に向かって上下方向）にフロントキャップ本体１３と相対移動可能に備えており、つまみ部９はコイルばね等の弾性部材によって径方向外方（図３に向かって上方）へ付勢されている。使用者が本第１実施形態に係るリアキャップ１とフロントキャップ１０とを結合するには、つまみ部９を径方向内方へ押し込んで雄ねじ部８を雌ねじ部６よりも径方向内方へ移動させた後、リアキャップ１のレンズ側の面とフロントキャップ１０のレンズ側の面を合わせて、つまみ部９を解放する。つまみ部は弾性部材によって径方向外方（図３に向かって上方）へ付勢されて雄ねじ部８と雌ねじ部６とが噛み合い、リアキャップ１とフロントキャップ１０とが結合される。
【００１７】
図４は、フロントキャップ１０の雄ねじ部８の径が第１実施形態に係るリアキャップ１の雌ねじ部６の径よりも大きい場合の組み合わさりを示す断面図である。上半分はつまみ部９に力を加えていない状態を示しており、下半分はつまみ部９を径方向内方（図４に向かって上方）へ押し込んだ状態を示している。フロントキャップ１０の雄ねじ部８が、つまみ部９に力を加えていない状態においてリアキャップ１の雌ねじ部８より径が大きくても、フロントキャップ１０のつまみ部９の雄ねじ部９外径がリアキャップ１の雌ねじ部６の内径よりも小さくなるまで径方向内方へ移動可能であればフロントキャップ１０とリアキャップ１との結合は可能である。
【００１８】
図５は第１実施形態に係るリアキャップ１とコンバータレンズ４０との組み合わさりを示す断面図である。コンバータレンズ４０は交換レンズの鏡筒先端部の雌ねじ部に螺合により取り付けるための雄ねじ部１８が設けられている。したがって、この雄ねじ部１８とリアキャップ１の雌ねじ部６の径が合えばコンバータレンズ４０とリアキャップ１を結合して保管することができる。また、コンバータレンズ４０に限らず、交換レンズの鏡筒先端部に取り付けるために雄ねじ部を有するアクセサリであれば、リアキャップ１と結合して保管することが可能である。
【００１９】
（第２実施形態）
以下、本発明の第２実施形態について図６及び図７を参照しつつ説明する。
【００２０】
図６（ａ）は、リアキャップ２０をフロント側から見た平面図を示している。本第２実施形態において、リアキャップ２０は、上記第１実施形態と同様に、円環部２２と平板部２３とから成り、円環部２２の内周面２４にはバヨネット突起２５が円周方向に等間隔で３ヶ所形成されているが、第１実施形態とは異なり、図６（ａ）に示すように雌ねじ部２６が円筒部の内周面の全周に渡って形成されておらず、径方向に対向する位置に２ヶ所のみ形成されている。
【００２１】
対向する雌ねじ部２６は、全周に渡って形成されたコンバータレンズ４０等の雄ねじ部に係合するように、互いに連続した雌ねじ形状とされていることが好ましい。
【００２２】
図６（ｂ）は、フロントキャップ３０をレンズ側から見た平面図を示している。フロントキャップ３０のつまみ部２９には、交換レンズの鏡筒前端部に形成された雌ねじ部に係合するための雄ねじ部２８が外周面に形成された円弧状の突起部が形成されている。
【００２３】
本第２実施形態では、雌ねじ部２６は、内周面２４から径方向内側に張り出して形成されている。図６（ａ）及び（ｂ）に示すように、雌ねじ部２６の横軸方向の幅aがフロントキャップ３０の雄ねじ部２８の横軸方向の幅ｂよりも狭い場合、雌ねじ部２６の谷部が、内周面２４にねじ溝を掘るようにして雌ねじ部２６を形成していない内周面２４よりも径方向外側に形成されると、フロントキャップ３０の雄ねじ部２８の山部が雌ねじ部２６の谷部に到達する前に、雌ねじ部２６を形成していない内周面２４と干渉してねじ部を噛み合わせることが出来ないこととなる。そこで、このように雌ねじ部２６の横軸方向の幅ａがフロントキャップ３０の雄ねじ部２８の横軸方向の幅bよりも狭い場合、図７の断面図に示すように、キャップ内周面に形成される雌ねじ部２６は、その谷部が雌ねじ部２６を形成しない他の内周面２４よりも、径方向外側に形成されないように、雌ねじ部２６全体を径方向内側に張り出して形成している。
【００２４】
なお、雌ねじ部２６の横軸方向の幅ａがフロントキャップ３０の雄ねじ部２８の横軸方向の幅ｂよりも狭い場合、円周方向の角度が合っていればフロントキャップ３０の雄ねじ部２８の山部が雌ねじ部２６を形成していない内周面２４と干渉することはないため、雌ねじ部２６全体を径方向内側に張り出して形成する必要はない。
【００２５】
雌ねじ部２６は、バヨネット突起２５の係止部２５ｂのキャップ口元側の面から円環部の端部まで形成されていることが好ましいが、光軸方向の雌ねじ部２６の幅は当該幅より狭くても良く、雌ねじ部２６の山部を構成する要素を一本だけ抜き出したような略円周方向に延びる線状突起部を設けることも可能である。また、雌ねじや線状突起部は、円周方向において断続的に形成されていても良い。さらには、レンズキャップなどの雄ねじ部と噛み合うドット状の突起部であっても良い。
【００２６】
以上のように、本発明によれば、交換レンズに取り付けていない状態において保管性の高い交換レンズ用リアキャップを提供することが出来る。
【符号の説明】
【００２７】
１、２０  リアキャップ
２、２２  円環部
３、２３  平板部
４、２４  内周面
５、２５  バヨネット突起
５ａ  当接部
５ｂ、２５ｂ  係止部
６、２６  雌ねじ部
７  線状突起部
８、１８、２８  雄ねじ部
９、２９  つまみ部
１０、３０  フロントキャップ
１２  目印用突起
１３  フロントキャップ本体
４０  コンバータレンズ
【図１】
2013083720.tif 000003
【図２】
2013083720.tif 000004
【図３】
2013083720.tif 000005
【図４】
2013083720.tif 000006
【図５】
2013083720.tif 000007
【図６】
2013083720.tif 000008
【図７】
2013083720.tif 000009